(57)【要約】【課題】  横葺き鋼板屋根において、現場での孔開けや止水処理作業を削減できる施工の容易な屋根置き型太陽光パネル配線引込部の屋根止水構造を提供する。【解決手段】  屋根下地材１上に、板金屋根材２が屋根勾配方向に沿って並べられる屋根において、屋根下地材１に設けられた配線引込孔３と連通する筒部５ａと、筒部５ａの下端から外周に延びるフランジ部５ｂとを有する下部材５を屋根下地材１に止め付ける。下地材フランジ部５ｂの上面から屋根下地材１の上面における下地材５の周縁に渡って防水テープ７を貼り付ける。配線引込孔３上の板金屋根材２には、下部材筒部５ａが嵌まり込む周壁部８ａを有する中間部材８を取付ける。板金屋根材２に置かれる太陽光パネル２０の配線２１を中間部材８から配線引込孔３内に挿通し、中間部材８の上面を覆うカバー１０を中間部材８に取付ける。【選択図】      図１
2013159923.tif 000002
【特許請求の範囲】
【請求項１】
勾配屋根の屋根下地材上に、複数枚の板金屋根材が屋根勾配方向に沿って並べられ、各板金屋根材は、屋根勾配の下側が屋根下地材から浮き上がる傾斜を有し、下側縁が、下側に並ぶ板金屋根材の上側縁に重ねられる屋根において、前記板金屋根材に置かれる太陽光パネルの配線を前記屋根下地材の下方に引き込む配線引込部の屋根止水構造であって、
前記屋根下地材に設けられた配線引込孔と連通する筒部、およびこの筒部の下端から外周に延びるフランジ部を有する下部材を前記屋根下地材に固着具で止め付け、前記下地材の前記フランジ部の上面から前記屋根下地材の上面における前記下地材の周縁に渡って防水テープを貼り付け、前記配線引込孔上に位置する板金屋根材は、前記下部材の筒部が嵌まり込む周壁部を有する中間部材が取付けられ、前記太陽光パネルの配線を前記中間部材から前記配線引込孔内に挿通し、前記中間部材の上面を覆うカバーを前記中間部材に取付けた屋根置き型太陽光パネル配線引込部の屋根止水構造。
【請求項２】
請求項１において、前記中間部材は前記周壁部に、前記配線が引き出される配線引出し用切欠部を有し、前記カバーは、前記中間部材の上面開口を覆う配線カバーと、この配線カバーの上からこの配線カバーおよび前記中間部材の周囲を覆う上部カバーとでなり、前記中間部材の前記配線引出し用切欠部と配線カバーとの間における前記配線の周囲の空間を密封するシール材、および上部カバーと前記中間部材との間における前記配線の周囲の空間を密封するシール材を設けた屋根置き型太陽光パネル配線引込部の屋根止水構造。
【発明の詳細な説明】
【技術分野】
【０００１】
この発明は、横葺き鋼板屋根等と呼ばれる勾配屋根の板金屋根材上に置かれる太陽光パネルの配線を、屋根下地材の下方に引き込む屋根置き型太陽光パネル配線引込部の屋根止水構造に関する。
【背景技術】
【０００２】
従来、勾配屋根に配置される太陽光パネルの配線は、垂直面を成す外壁や水平面をなす軒裏から屋内側に引き込むのが一般的であり、このため配線に用いる配管等が屋外に露出する。このような露出配管は、建物の外観意匠に影響を及ぼすという問題が有る。そこで、これを避けるため、例えば図８および図９に示すように太陽光パネル３０の本体直下となる屋根勾配面から配線を屋内側に引き込む隠蔽配線と呼ばれる配線処理法を用いる場合がある（例えば特許文献１）。
【０００３】
この隠蔽配線では、一般的に配線引込金具３１を用いるが、その配線引込金具３１の本体は、屋根材３２、アスファルトルーフィングなどの防水層３３、野地板などの屋根下地材３４を介して屋外側からビス３５で固定する。また、配線ケーブル３６の引込みでは、屋根材３２、防水層３３、屋根下地材３４に屋外側から貫通孔３７を開け、その貫通孔３７に配線引込金具３１を配置し、その配線引込金具３１の引込口から屋内側に配線ケーブル３６を引き込む。
【先行技術文献】
【特許文献】
【０００４】
【特許文献１】特許第４４３８４７４号公報
【発明の概要】
【発明が解決しようとする課題】
【０００５】
上記したように、従来の太陽光パネル配線引込部の基本構成は、配線引込金具３１、屋根材３２、防水層３３、屋根下地材３４からなり、配線ケーブル３６を引き込むために、それぞれの構成材に互いに連通する貫通孔３７を開けている。このため、貫通孔３７が開けられる部分に防水面を確保するのに、その貫通孔３７に止水材付きの樹脂スリーブ管３８を圧入し、各構成材の破断面を連結し１次防水層を確保するなどの止水処理が必要となる。
【０００６】
また、配線引込金具３１は、屋根材３２、防水層３３、屋根下地材３４を介して屋外側からビス３５で固定するため、事前にビス固定のための下孔を開け、その下孔にシーリング材を注入するなどの止水処理を施す必要もある。
【０００７】
この発明の目的は、現場での孔開けや止水処理作業を削減できる施工の容易な屋根置き型太陽光パネル配線引込部の屋根止水構造を提供することである。
【課題を解決するための手段】
【０００８】
この発明の屋根置き型太陽光パネル配線引込部の屋根止水構造は、勾配屋根の屋根下地材上に、複数枚の板金屋根材が屋根勾配方向に沿って並べられ、各板金屋根材は、屋根勾配の下側が屋根下地材から浮き上がる傾斜を有し、下側縁が、下側に並ぶ板金屋根材の上側縁に重ねられる屋根において、前記板金屋根材に置かれる太陽光パネルの配線を前記屋根下地材の下方に引き込む配線引込部の屋根止水構造である。
先ず、前記屋根下地材に設けられた配線引込孔と連通する筒部、およびこの筒部の下端から外周に延びるフランジ部を有する下部材を前記屋根下地材に固着具で止め付ける。次に、前記下地材の前記フランジ部の上面から前記屋根下地材の上面における前記下地材の周縁に渡って防水テープを貼り付ける。前記配線引込孔上に位置する板金屋根材には、前記下部材の筒部が嵌まり込む周壁部を有する中間部材を取付ける。前記太陽光パネルの配線は、前記中間部材から前記配線引込孔内に挿通する。次に、前記中間部材の上面を覆うカバーを前記中間部材に取付ける。
【０００９】
この構成によると、板金屋根材は屋根勾配の下側が屋根下地材から浮き上がる傾斜を有するので、屋根下地材の上に防水テープを介して止め付けられ配線引込部の１次防水層となる下部材と、板金屋根材の上に取付けられ配線引込部の２次防水層となる中間部材との間に、中間の防水層となる空間が確保される。この中間の防水層によって１次防水層と２次防水層とを分離することができる。これにより、中間部材を、屋外側からビスなどの固着具で板金屋根材に止め付けることなく、板金屋根材に接着固定することが可能であり、現場での板金屋根材への孔開けや中間部材の取付作業、止水処理作業を削減でき、施工が容易になる。
【００１０】
この発明において、前記中間部材は前記周壁部に、前記配線が引き出される配線引出し用切欠部を有し、前記カバーは、前記中間部材の上面開口を覆う配線カバーと、この配線カバーの上からこの配線カバーおよび前記中間部材の周囲を覆う上部カバーとでなり、前記中間部材の前記配線引出し用切欠部と配線カバーとの間における前記配線の周囲の空間を密封するシール材、および上部カバーと前記中間部材との間における前記配線の周囲の空間を密封するシール材を設けても良い。
この構成の場合、配線引込部での止水性がさらに向上する。
【発明の効果】
【００１１】
この発明の屋根置き型太陽光パネル配線引込部の屋根止水構造は、勾配屋根の屋根下地材上に、複数枚の板金屋根材が屋根勾配方向に沿って並べられ、各板金屋根材は、屋根勾配の下側が屋根下地材から浮き上がる傾斜を有し、下側縁が、下側に並ぶ板金屋根材の上側縁に重ねられる屋根において、前記板金屋根材に置かれる太陽光パネルの配線を前記屋根下地材の下方に引き込む配線引込部の屋根止水構造であって、
前記屋根下地材に設けられた配線引込孔と連通する筒部、およびこの筒部の下端から外周に延びるフランジ部を有する下部材を前記屋根下地材に固着具で止め付け、前記下地材の前記フランジ部の上面から前記屋根下地材の上面における前記下地材の周縁に渡って防水テープを貼り付け、前記配線引込孔上に位置する板金屋根材は、前記下部材の筒部が嵌まり込む周壁部を有する中間部材が取付けられ、前記太陽光パネルの配線を前記中間部材から前記配線引込孔内に挿通し、前記中間部材の上面を覆うカバーを前記中間部材に取付けたため、現場での穴開けや止水処理作業を削減でき、施工が容易となる。
【図面の簡単な説明】
【００１２】
【図１】この発明の屋根置き型太陽光パネル配線引込部の屋根止水構造の一実施形態を示す断面図である。
【図２】同屋根止水構造の分解斜視図である。
【図３】同屋根止水構造の部分拡大断面図である。
【図４】同屋根止水構造における下部材取付作業の説明図である。
【図５】同屋根止水構造における防水テープ貼り付け作業の説明図である。
【図６】同屋根止水構造における中間部材取付作業の説明図である。
【図７】同屋根止水構造における板金屋根材取付作業の説明図である。
【図８】従来例の断面図である。
【図９】同従来例の部分斜視図である。
【発明を実施するための形態】
【００１３】
この発明の一実施形態を図１ないし図７と共に説明する。この実施形態の屋根置き型太陽光パネル配線引込部の屋根止水構造は、図１のように、勾配屋根の屋根下地材１上に、横葺き鋼板屋根を構成する複数枚の板金屋根材２が屋根勾配方向に沿って並べられる屋根において、前記板金屋根材２に置かれる太陽光パネル２０の配線２１を前記屋根下地材１の下方に引き込む配線引込部の屋根止水構造である。屋根下地材１は、在来工法の野地板に相当する。前記各板金屋根材２は、屋根勾配（θ）の下側が屋根下地材１から浮き上がる傾斜角度（θ−θ１）を有し、下側縁が、下側に並ぶ板金屋根材２の上側縁に重ねられる。ただしθ１は、屋根下地材１に対する板金屋根材２の逆勾配である。
【００１４】
前記屋根下地材１には、太陽光パネル２０の配線２１を屋内側に引き込むための配線引込孔３（例えば１３０×４０ｍｍの角孔）が設けられる。この屋根下地材１に、固着具であるビス４によって下部材５が止め付けられる。下部材５の止め付けにおいては、これに先立ち、図４（Ａ）のように、屋根下地材１の前記配線引込孔３の周縁、および下部材５が取付けられる表面の周域に片面を粘着面とした防水テープ６が貼り付けられる。防水テープ６には、前記配線引込孔３に相当する部分に切込みを入れ、その切込み部を折り曲げることで、配線引込孔３の周縁に防水テープ６が貼り付けられる。これにより、下部材５が取付けられる表面の周域から配線引込孔３の周縁に渡って防水テープ６が連続することになり、止水性が向上する。
【００１５】
下部材５は、この防水テープ６を介して、図４（Ｂ）のように屋根下地材１の上に止め付けられる。下部材５は、屋根下地材１に設けられた配線引込孔３と連通する方形の筒部５ａと、この筒部５ａの下端から外周に延びる方形のフランジ部５ｂとを有する。
【００１６】
さらに、前記下部材５のフランジ部５ｂの上面から屋根下地材１の上面における下部材５の周縁にわたる面域には、両面を粘着面とした別の防水テープ７が貼り付けられる。ここで言う防水テープ７は、防水テープ７Ａ，７Ｂの総称である。この防水テープ７の貼り付け作業では、図５（Ａ）のように、先ず下部材５のフランジ部５ｂの上面における屋根勾配（θ）の下側面域に防水テープ７Ａが貼り付けられる。次に、図５（Ｂ）のように前記フランジ部５ｂの左右両面域に先の防水テープ７Ａに重ねて別の防水テープ７Ｂが貼り付けられる。最後に、図５（Ｃ）のように前記フランジ部５ｂの上面における屋根勾配（θ）の上側面域に先の防水テープ７Ｂに重ねて別の防水テープ７Ｃが貼り付けられる。このような手順で防水テープ７を貼り付けることにより、屋根勾配（θ）を有する屋根下地材１上に配置される下部材５の取付部での止水性を高めることができる。なお、前記防水テープ６，７にはブチルテープ等が用いられる。
【００１７】
前記配線引込孔３上に位置する板金屋根材２には、前記下部材５の筒部５ａが嵌まり込む周壁部８ａを有する中間部材８が取付けられる。中間部材８は、プラスチックの成形品またはアルミ，アルミ合金等の金属材の成形品等からなる。図２，図３のように、中間部材８は、その周壁部８ａにおける、屋根勾配下側となる面に、前記配線２１が引き出される配線引出し用切欠部８ｂを有する。また、配線引込孔３上に位置する板金屋根材２は、配線専用鋼板２Ｂと、この上に重ねられる板金屋根葺材２Ａとの２重構成とされる。
【００１８】
中間部材８の取付けは、現場での作業によらず、予め工場などで行われる。その作業手順を図６に示す。先ず、図６（Ａ）のように、板金屋根材２の配線専用鋼板２Ｂに、前記下部材５の筒部５ａが嵌まり込む開口２ａを形成し、この開口２ａに中間部材８の周壁部８ａが整合するように、配線専用鋼板２Ｂの表面に中間部材８を、図６（Ｂ）のように配置して接着することにより取付ける。図６（Ｃ）は、配線専用鋼板２Ｂの表面に中間部材８を取付けた状態の側面図を示す。このように、予め工場などで、配線専用鋼板２Ｂに中間部材８を取付けておくことにより、現場では板金屋根材２を取付けるだけで、中間部材８の取付作業を省略することができる。中間部材８の組み込まれた配線専用鋼板２Ｂは、図１のように、固着具であるビス９により上側縁が屋根下地材１に止め付けられる。配線専用鋼板２Ｂの下側縁は、屋根勾配（θ）の下側に配置される別の板金屋根材２の上側縁に係合される。
【００１９】
図７に示すように、前記板金屋根葺材２Ａは、中間部材８の左右の位置して配線専用鋼板２Ｂの上面に重ねて配置して止め付けられる。中間部材８が配置された幅方向範囲では、板金屋根葺材２Ａが重ねられず、板金屋根材２は１重とされる。
【００２０】
図１に示すように、太陽光パネル２０の本体は、設置架台２２を介して板金屋根材２の上に設置される。太陽光パネル２０の配線２１は、中間部材８の周壁部８ａの前記配線引出し用切欠部８ｂから屋根下地材１の配線引込孔３内に挿通され、中間部材８の上面を覆うカバー１０が中間部材８に取付けられる。前記カバー１０は、中間部材８の上面開口を覆う配線カバー１１と、この配線カバー１１の上からこの配線カバー１１および中間部材８の周囲を覆う上部カバー１２とでなる。配線カバー１１は、図２のように固着具であるビス１６によって中間部材８に止め付けられる。上部カバー１２も、図２のように固着具であるビ１７によって中間部材８に止め付けられる。中間部材８と配線カバー１１とで配線ボックス１３が構成される。
【００２１】
中間部材８の前記配線引出し用切欠部８ｂと前記配線カバー１１との間には、これらの部材の間における配線２１の周囲の空間を密封するシール材１４が設けられる。また、前記上部カバー１２と中間部材８との間にも、これらの部材の間における配線２１の周囲の空間を密封するシール材１５が設けられる。シール材１４，１５は、例えば硬化性の粘土状または液状の湿式材料とされる。このシール構造により、配線引込部での止水性がさらに向上する。
【００２２】
この構成の屋根置き型太陽光パネル配線引込部の屋根止水構造によると、板金屋根材２は屋根勾配（θ）の下側が屋根下地材１から浮き上がる傾斜（θ−θ１）を有するので、屋根下地材１の上に防水テープ７を介して止め付けられ配線引込部の１次防水層となる下部材５と、板金屋根材２の上に取付けられ配線引込部の２次防水層となる中間部材８との間に、中間の防水層となる空間が確保される。この中間の防水層によって１次防水層と２次防水層とを分離することができる。これにより、中間部材８を、屋外側からビスなどの固着具で板金屋根材２に止め付けることなく、板金屋根材２に接着固定することが可能であり、現場での板金屋根材２への孔開けや中間部材８の取付作業、止水処理作業を削減でき、施工が容易になる。
【００２３】
屋根置き型太陽光パネルの場合、設置架台の高さ・形状、太陽光パネル本体の厚さ・形状などが外観意匠に大きく影響するが、この屋根止水構造では、太陽光パネル２０の設置架台２２の高さを約４０ｍｍの最小高さとして省スペース化し、外観意匠に配慮した場合でも、上記した下部材５、中間部材８、カバー１０などの配線引込部用の各部材を隠蔽して配置することができる。
【符号の説明】
【００２４】
１…屋根下地材
２…板金屋根材
２Ａ…板金屋根葺材
２Ｂ…配線専用鋼板
３…配線引込孔
４…ビス（固着具）
５…下部材
５ａ…筒部
５ｂ…フランジ部
７…防水テープ
８…中間部材
８ａ…周壁部
８ｂ…配線引出し用切欠部
１０…カバー
１１…配線カバー
１２…上部カバー
１４，１５…シール材
２０…太陽光パネル
２１…配線
【図１】
2013159923.tif 000003
【図２】
2013159923.tif 000004
【図３】
2013159923.tif 000005
【図４】
2013159923.tif 000006
【図５】
2013159923.tif 000007
【図６】
2013159923.tif 000008
【図７】
2013159923.tif 000009
【図８】
2013159923.tif 000010
【図９】
2013159923.tif 000011